(57)【要約】【課題】ナット１０の緊締によりホイール１を回転側フランジ１５に結合固定するのに伴って、この回転側フランジ１５が変形するのを防止する。そして、この回転側フランジ１５に結合固定したロータ２の振れを抑えて、制動時にジャダーが発生するのを防止する。【解決手段】上記回転側フランジ１５の内側面で、上記ナット１０の緊締に伴って矢印α方向に加わる力を受ける部分に凸部３３を形成し、当該部分の肉厚を大きくする。この結果、上記回転側フランジ１５の変形を抑えて、上記課題を解決できる。【選択図】  図１
2004306681.tif 000002
【特許請求の範囲】
【請求項１】
外周面に複列の内輪軌道を有する内輪と、内周面に複列の外輪軌道を有し、この内輪の周囲にこの内輪と同心に配置された外輪と、上記各内輪軌道と上記各外輪軌道との間にそれぞれ複数個ずつ、転動自在に設けられた転動体とを備え、上記内輪と上記外輪とのうちで使用時に回転する回転側軌道輪の外周面に形成したフランジの側面に、制動用回転体とホイールとをねじ杆部材により結合固定した状態で使用される車輪支持用転がり軸受ユニットに於いて、上記フランジのうちで上記ねじ杆部材の周囲に位置し、このねじ杆部材の緊締に伴って上記ホイールの一部により押圧される部分の軸方向に関する厚さ寸法を、上記フランジの残部でこの押圧される部分から円周方向に外れた部分の厚さ寸法よりも大きくした事を特徴とする車輪支持用転がり軸受ユニット。
【請求項２】
ねじ杆部材が、その基端部をフランジに形成した取付孔に圧入固定された状態で、その中間部乃至先端部をこのフランジの外側面から突出させてホイールの通孔に挿通するスタッドであり、このスタッドの先端部でこのホイールの外側面から突出させた部分に螺合したナットを緊締する事で、このホイールの内側面の一部で上記通孔の周囲部分により上記フランジの外側面の一部が押圧されるものであり、このフランジの内側面の一部で上記通孔の周囲部分により押圧される部分と反対側部分が、この反対側部分から円周方向に外れた部分よりも内方に突出する事で、この反対側部分の肉厚が大きくなっている、請求項１に記載した車輪支持用転がり軸受ユニット。
【請求項３】
ねじ杆部材がボルトであり、このボルトをホイールに形成した通孔に挿通し、その先端部をフランジに形成したねじ孔に螺合し更に緊締する事で、上記ホイールの内側面の一部で上記通孔の周囲部分により上記フランジの外側面の一部が押圧されるものであり、このフランジの内側面の一部で上記通孔の周囲部分により押圧される部分と反対側部分が、この反対側部分から円周方向に外れた部分よりも内方に突出する事で、この反対側部分の肉厚が大きくなっている、請求項１に記載した車輪支持用転がり軸受ユニット。
【請求項４】
フランジを含む回転側軌道輪が鍛造加工により造られており、ホイールの一部により押圧される部分の軸方向に関する厚さ寸法が、鍛造加工時に上記フランジの残部でこの押圧される部分から円周方向に外れた部分の金属材料を肉寄せする事によりこの外れた部分の厚さ寸法よりも大きくされている、請求項１〜３の何れかに記載した車輪支持用転がり軸受ユニット。
【発明の詳細な説明】
【０００１】
【発明の属する技術分野】
この発明は、自動車の車輪並びにロータ或はドラム等の制動用回転体を支持する車輪支持用転がり軸受ユニットの改良に関する。
【０００２】
【従来の技術】
自動車の車輪を構成するホイール１、及び、制動装置であるディスクブレーキを構成する、制動用回転体であるロータ２は、例えば図７に示す様な構造により、懸架装置を構成するナックル３に回転自在に支承している。即ち、このナックル３に形成した円形の支持孔４部分に、本発明の対象となる車輪支持用転がり軸受ユニット５を構成する外輪６を、複数本のボルト７により固定している。一方、上記車輪支持用転がり軸受ユニット５を構成する、特許請求の範囲に記載した内輪であると同時に回転側軌道輪であるハブ８に上記ホイール１及びロータ２を、複数本のスタッド９とナット１０とにより結合固定している。
【０００３】
上記外輪６の内周面には複列の外輪軌道１１ａ、１１ｂを、外周面には固定側フランジ１２を、それぞれ形成している。この様な外輪６は、この固定側フランジ１２を上記ナックル３に、上記各ボルト７で結合する事により、このナックル３に対し固定している。
【０００４】
これに対して、上記ハブ８は、ハブ本体１３と内輪１４とを組み合わせて成る。このうちのハブ本体１３の外周面の一部で、上記外輪６の外端開口（軸方向に関して外とは、自動車への組み付け状態で幅方向外側となる部分を言い、図１、４、７、８の左側。反対に、自動車への組み付け状態で幅方向中央側となる、図１、４、７、８の右側を、軸方向に関して内と言う。本明細書全体で同じ。）から突出した部分には、特許請求の範囲に記載したフランジである回転側フランジ１５を形成している。上記ホイール１及びロータ２はこの回転側フランジ１５の片側面（図示の例では外側面）に、上記各スタッド９とナット１０とにより、結合固定している。
【０００５】
又、上記ハブ本体１３の中間部外周面で、上記複列の外輪軌道１１ａ、１１ｂのうちの外側の外輪軌道１１ａに対向する部分には、第一の内輪軌道１６を、上記ハブ本体１３に対し直接形成している。更に、上記ハブ本体１３の内端部外周面に形成した小径段部１７に上記内輪１４を外嵌固定して、上記ハブ８を構成している。そして、この内輪１４の外周面に形成した第二の内輪軌道１８を、上記複列の外輪軌道１１ａ、１１ｂのうちの内側の外輪軌道１１ｂに対向させている。
【０００６】
これら各外輪軌道１１ａ、１１ｂと第一、第二の各内輪軌道１６、１８との間には、それぞれが転動体である玉１９、１９を複数個ずつ、それぞれ保持器２０、２０により保持した状態で転動自在に設けている。この構成により、背面組み合わせである複列アンギュラ型の玉軸受を構成し、上記外輪６の内側に上記ハブ８を、回転自在に、且つ、ラジアル荷重及びスラスト荷重を支承自在に支持している。尚、上記外輪６の両端部内周面と、上記ハブ本体１３の中間部外周面及び上記内輪１４の内端部外周面との間には、それぞれシールリング２１ａ、２１ｂを設けて、上記各玉１９、１９を設けた内部空間と外部とを遮断している。更に、図示の例は、駆動輪（ＦＲ車及びＲＲ車の後輪、ＦＦ車の前輪、４ＷＤ車の全輪）用の車輪支持用転がり軸受ユニット５である為、上記ハブ本体１３の中心部に、スプライン孔２２を形成している。そして、このスプライン孔２２に、等速ジョイント２３のスプライン軸２４を挿入している。
【０００７】
上述の様な車輪支持用転がり軸受ユニット５の使用時には、図７に示す様に、外輪６をナックル３に固定すると共に、ハブ本体１３の回転側フランジ１５に、図示しないタイヤを組み合わせたホイール１及びロータ２を固定する。又、このうちのロータ２と、上記ナックル３に固定した、図示しないサポート及びキャリパとを組み合わせて、制動用のディスクブレーキを構成する。制動時には、上記ロータ２を挟んで設けた１対のパッドをこのロータ２の制動用摩擦面である両側面に押し付ける。尚、本明細書中で制動用摩擦面とは、制動用回転体がロータである場合には、このロータの軸方向両側面を言い、制動用回転体がドラムである場合には、このドラムの内周面を言う。
【０００８】
尚、本発明の対象となる車輪支持用転がり軸受ユニットとしては、上述の図７に示す様な構造の他、図８に示す様な構造も、従来から知られている。この図８に示した従来構造の第２例の車輪支持用転がり軸受ユニット５ａの場合には、ハブ本体１３の外周面に形成した回転側フランジ１５の一部に複数（乗用車用の場合、一般的には４〜６個所）のねじ孔２５を、円周方向に関して等間隔に形成している。そして、これら各ねじ孔２５に、それぞれがねじ杆部材である各ボルト２６の先端部に形成した雄ねじ部２７を螺合し更に緊締している。
【０００９】
以上に述べた様な様な車輪支持用転がり軸受ユニット５、５ａのハブ８を構成するハブ本体１３の要部を焼き入れ硬化する事が、例えば特許文献１、２に記載される等により、従来から知られている。これら各特許文献１、２に記載された車輪支持用転がり軸受ユニットの場合には、ハブ本体の回転側フランジの内側面基部乃至小径段部に掛けての部分を焼き入れ硬化している。そして、走行時に加わるモーメント荷重に対する、上記回転フランジの強度を向上させると共に、上記ハブ本体の外周面各部の耐摩耗性及び転がり疲れ寿命の向上を図っている。
【００１０】
一方、自動車の制動時にしばしば、ジャダーと呼ばれる、不快な騒音を伴う振動が発生する事が知られている。この様な振動の原因としては、ロータ２の側面とパッドのライニングとの摩擦状態の不均一等、各種の原因が知られているが、上記ロータ２の振れも、大きな原因となる事が知られている。即ち、このロータ２の側面はこのロータ２の回転中心に対して、本来直角となるべきものであるが、不可避な製造誤差等により、完全に直角にする事は難しい。この結果、自動車の走行時に上記ロータ２の側面は、多少とは言え、回転軸方向（図７、８の左右方向）に振れる事が避けられない。この様な振れ（図７、８の左右方向への変位量）が大きくなると、制動の為に１対のパッドのライニングを上記ロータ２の両側面に押し付けた場合に、上記ジャダーが発生する。又、上記回転側フランジ１５の側面にドラムブレーキを構成するドラムを固定した場合に、このドラムの内周面がドラムの回転中心に対して完全に平行でなければ、シューをこの内周面に押し付けた場合に、やはりジャダーの如き振動が発生する。
【００１１】
この様な原因で発生するジャダーを抑える為には、上記ロータ２の側面の軸方向の振れ（アキシアル振れ）、又はドラムの内周面の径方向の振れを抑える（小さくする）事が重要となる。そして、この振れを抑える為には、上記ハブ本体１３の回転中心に対する回転側フランジ１５の取付面２８（上記ロータ２を取り付ける面）の直角度を向上させる事が重要となる。この為に従来から、特許文献３、４等に記載されている様に、車輪支持用転がり軸受ユニットの構成各部材を組み立てた後、回転側フランジの取付面を加工する事により、この取付面の直角度を向上させる技術が知られている。又、特許文献５には、回転側フランジの内径寄り部分に低剛性部を形成する事により、ホイールの固定作業に伴ってこの回転側フランジの外径寄り部分が変形した場合にも、この変形が回転側部材である外輪の内周面に形成された外輪軌道にまで及ぶ事を防止する構造が記載されている。
【００１２】
【特許文献１】
特開２００２−２１８５８号公報
【特許文献２】
特開２００２−８７００８号公報
【特許文献３】
米国特許第６，０７１，１８０号明細書
【特許文献４】
米国特許第６，３６４，４２６号明細書
【特許文献５】
特開２０００−１７７３０１号公報
【００１３】
【発明が解決しようとする課題】
特許文献３、４等に記載されている様な技術により上記取付面２８の直角度を向上させれば、上記ジャダーの発生を相当程度低減できると考えられる。但し、上記特許文献３、４等に記載されている様な技術により上記取付面２８の直角度を向上させても、この取付面２８にホイール１及びロータ２を支持固定するのに伴ってこの取付面２８が歪んだ場合には、このロータ２の側面が軸方向に振れるのを、必ずしも十分に抑えられず、上記ジャダーの発生防止の効果が損なわれる。
【００１４】
上記ホイール１及びロータ２を上記取付面２８に支持固定するのに伴ってこの取付面２８が歪むのを防止する為には、この取付面２８を備えた回転側フランジ１５の硬度を高くする事が考えられる。この回転側フランジ１５の一部（内側面基端部）を焼き入れ硬化する技術は、特許文献１、２にも記載されているが、これら各特許文献１、２に記載された従来技術は、上記回転側フランジ１５の内側面基端部を焼き入れ硬化するに留まり、上記ホイール１及びロータ２を上記取付面２８に支持固定する際に応力が加わる部分の変形防止を考慮したものではない。
【００１５】
一方、単に上記ホイール１及びロータ２を上記取付面２８に支持固定する際に応力が加わる部分の変形防止を図る為、この取付面２８を焼き入れ硬化すると、上記回転側フランジ１５の靱性を確保する事が難しくなる。この理由は、上記取付面２８を焼き入れ硬化すると、この取付面２８部分に形成された焼き入れ硬化層と、シールリング２１ａとの摺動に伴う摩耗防止、或は曲げモーメントに対する疲労強度向上を目的として上記回転側フランジ１５の内側面基端部に形成した焼き入れ硬化層とが、近接乃至は連続する為である。周知の様に、焼き入れ硬化層は、焼き入れしていない（生の）部分に比べて靱性が低く、亀裂損傷が発生し易い。従って、上記回転側フランジ１５の内外両側面に焼き入れ硬化層を形成する事は好ましくない。
【００１６】
又、特許文献５に記載された構造は、ホイール及びロータを取付面に支持固定するのに伴って回転側フランジが変形する事を防止するのではなく、この変形が外輪軌道にまで及ぶのを防止するものである。外輪軌道の変形が防止されれば、その分だけジャダーの原因となるローラの面方向の振れを低減できるが、上記回転側フランジの変形を抑えない限り、その効果は極限られたものとなる。即ち、上記特許文献５に記載された構造では、ジャダーの発生を十分効果的に防止する事はできない。
本発明の車輪支持用転がり軸受ユニットは、この様な事情に鑑みて発明したものである。
【００１７】
【課題を解決するための手段】
本発明の車輪支持用転がり軸受ユニットは、前述した従来から知られている車輪支持用転がり軸受ユニットと同様に、外周面に複列の内輪軌道を有する内輪と、内周面に複列の外輪軌道を有し、この内輪の周囲にこの内輪と同心に配置された外輪と、上記各内輪軌道と上記各外輪軌道との間にそれぞれ複数個ずつ、転動自在に設けられた転動体とを備える。
そして、上記内輪と上記外輪とのうちで使用時に回転する回転側軌道輪の外周面に形成したフランジの側面に、制動用回転体とホイールとをねじ杆部材により結合固定した状態で使用される。
特に、本発明の車輪支持用転がり軸受ユニットに於いては、上記フランジのうちで上記ねじ杆部材の周囲に位置し、このねじ杆部材の緊締に伴って上記ホイールの一部により押圧される部分の軸方向に関する厚さ寸法を、上記フランジの残部でこの押圧される部分から円周方向に外れた部分の厚さ寸法よりも大きくしている。
【００１８】
【作用】
上述の様に構成する本発明の車輪支持用転がり軸受ユニットの場合には、ねじ杆部材の緊締に伴ってホイールの一部により押圧される部分の厚さ寸法を大きくした分、上記ねじ杆部材の緊締に伴ってフランジが歪みにくくなる。この為、このフランジに支持固定した制動用回転体の制動用摩擦面に振れが発生しにくくなり、制動時に於けるジャダーの発生防止を有効に図れる。
又、上記フランジの残部で上記押圧される部分から円周方向に外れた部分の厚さ寸法を特に大きくしない為、上記フランジを含む回転側軌道輪の重量が嵩む事を防止できる。
【００１９】
【発明の実施の形態】
図１〜３は、請求項１、２、４に対応する、本発明の実施の形態の第１例を示している。ハブ本体１３の外周面外端寄り部分に設けた回転側フランジ１５の一部に複数（乗用車用の場合、一般的には４〜６個所）の取付孔２９を、円周方向に関して等間隔に形成している。そして、これら各取付孔２９に、ねじ杆部材である各スタッド９の中間部基端寄り部分を嵌合固定している。これら各スタッド９には、基端部に外向フランジ状の鍔部３０を、中間部基端寄り部分にセレーション部３１を、中間部乃至先端部に雄ねじ部３２を、それぞれ形成している。この様な各スタッド９は、上記各取付孔２９に上記回転側フランジ１５の内側から外側に向け、上記雄ねじ部３２を先にして挿通し、上記セレーション部３１を上記取付孔２９に圧入すると共に上記鍔部３０を上記回転側フランジ１５の内側面に当接させた状態で、この回転側フランジ１５に、回転を阻止した状態で固定している。
【００２０】
本例の場合、上記回転側フランジ１５の内側面のうちで上記取付孔２９の開口部の周囲部分に、軸方向内方に突出した凸部３３を、この取付孔２９の全周を囲む状態で形成している。そして、この凸部３３を形成した部分の軸方向に関する厚さ寸法Ｔを、上記回転側フランジ１５のうちで上記凸部３３から円周方向に外れた部分の厚さ寸法ｔよりも大きく（Ｔ＞ｔ）している。上記回転側フランジ１５の外側面にロータ２を介してホイール１を突き合わせ、上記スタッド９の雄ねじ部３２にナット１０を螺合し更に緊締した状態で上記回転側フランジ１５の外側面は、上記ホイール１の一部内側面により押圧される。
【００２１】
本例の場合、上記凸部３３の内径及び外径を適切に規制する事により、上記ナット１０の緊締に伴って  上記ホイール１から上記回転側フランジ１５に、軸方向に加わる力が、上記凸部３３に対応して厚さ寸法Ｔが大きくなった部分に加わる様にしている。即ち、本例の場合には、上記凸部３３の外径Ｄ３３（上記回転側フランジ１５の円周方向の関する、この凸部３３の包絡線の間隔）を、ホイール１の内側面で上記スタッド９を挿通する為の通孔３４を囲む部分に形成した、次述する様な各円すい状凹面３５の開口周縁部の直径Ｄ３５よりも大きく（Ｄ３３＞Ｄ３５）している。尚、本例の場合には、上記回転側フランジ１５の内側面で上記取付孔２９を囲む部分に、前記鍔部３０の外側面を突き当てる為の座ぐり部３６を形成しているが、この座ぐり部３６の直径Ｄ３６は、上記各円すい状凹面３５の開口周縁部の直径Ｄ３５よりも小さく（Ｄ３６＜Ｄ３５）している。
【００２２】
上述の様な凸部３３を備えた回転側フランジ１５に上記ホイール１及びロータ２を、この回転側フランジ１５に固定した上記各スタッド９により、結合固定する。このうちのロータ２は、前記ハブ本体１３の外周面で上記回転側フランジ１５の外側に隣接する部分に形成した円筒面部３７に外嵌して径方向に関する位置決めを図る。そして、この状態で、上記ロータ２に形成した通孔３８に、上記各スタッド９を挿通する。
【００２３】
又、上記ホイール１は、鋼板にプレス加工を施す事により、或は軽合金を鋳造する事により、或は軽合金に鍛造加工を施す事により造られたもので、上記各スタッド９に整合する部分に、それぞれ上記通孔３４を形成している。上記ホイール１の内側面でこれら各通孔３４の周囲部分は、上記鋼板を曲げ形成する事により、或は軽合金の一部に肉盗みの如き凹部を形成する事により、摺鉢状の上記円すい状凹面３５を形成している。これら各円すい状凹面３５は、上記ホイール１を上記回転側フランジ１５に取り付ける際に、上記各通孔３４に上記各スタッド９を挿通する作業の容易化を図る案内の為と、これら各スタッド９に螺合し更に緊締したナット１０の緩み止めを図るべく、ばね作用を持たせる為とに設けている。
【００２４】
上述の様なホイール１を上記回転側フランジ１５に結合固定するには、上記各スタッド９の先半部を上記各通孔３４に挿通し、これら各スタッド９の雄ねじ部３２に螺合したナット１０を緊締する。このナット１０の緊締の結果、上記ホイール１の内面で上記各円すい状凹面３５の周縁部分が上記ロータ２の内径寄り部分の外側面に当接し、図１に矢印α、αで示す様に、当該部分を軸方向内方に向け強く押圧する。図２の鎖線γは、この矢印α、αで示す様に、上記各円すい状凹面３５の周縁部分が上記回転側フランジ１５の外側面を押圧する（範囲のうちの内周縁）部分を表している。これに対して、前記鍔部３０が上記回転側フランジ１５の一部を、図１に矢印βで示す様に、軸方向外方に向け強く押圧する。尚、上記鍔部３０が上記回転側フランジ１５の一部を押圧する位置は前記取付孔２９の周囲部分であるが、上記矢印βは、上記鍔部３０に基づく力（の合力）が作用する中心に記載している。
【００２５】
この様な矢印α、βで示した、逆方向に作用する力により、上記回転側フランジ１５の一部で上記各取付孔２９の周囲部分に、この周囲部分を折り曲げる方向の力が作用する。この力により上記回転側フランジ１５の上記各取付孔２９の周囲部分が変形すると、この回転側フランジ１５に結合固定した前記ロータ２の両側面が前記ハブ本体１３の回転に伴って軸方向に振れ、前述した様なジャダーが発生する。これに対して本例の場合には、上記各円すい状凹面３５の周縁部分から上記矢印α、αで示す方向に作用する力が、前記凸部３３により厚さ寸法が大きくなった部分で支承される。この様に厚さ寸法が大きくなった部分が剛性は高く、外力により変形しにくい。この結果、上記回転側フランジ１５のうちで、上記各取付孔２９の周囲部分の変形が抑えられて、上記ジャダーの発生を防止できる。
【００２６】
尚、上記回転側フランジ１５のうち、少なくとも上記各取付孔２９を設けた部分の外径Ｄ１５は、上記図２に鎖線γで示す、上記各円すい状凹面３５の周縁部分が上記回転側フランジ１５の外側面を押圧する部分の外接円の直径ＤＯ  よりも大きくしている。この理由は、上記矢印α、αで示す方向に加わる力を、上記回転側フランジ１５により、確実に支承する為である。従って、上記回転側フランジ１５のうち、上記各取付孔２９から円周方向に十分に外れた部分の外径は、上記外接円の直径よりも小さくしても良い。即ち、上記回転側フランジ１５の形状を、上記各取付孔２９を形成した部分のみ径方向外方に突出した花弁状として、軽量化を図る事もできる。
【００２７】
上述の様に本例の車輪支持用転がり軸受ユニットの場合には、前記ナット１０の緊締に伴う上記回転側フランジ１５の変形を抑える為に、この回転側フランジ１５の軸方向の厚さ寸法を、円周方向の一部、即ち前記スタッド９を固定する為の取付孔２９の周囲部分でのみ大きくしている。上記回転側フランジ１５の残部でこの取付孔２９の周囲部分から円周方向に外れた部分の厚さ寸法は、特に大きくしない。この為、上記回転側フランジ１５を含むハブ本体１３の重量が嵩む事を防止できる。又、上記回転側フランジ１５の内側面の一部で上記各取付孔２９の周囲部分に前記各凸部３３を形成する作業は、上記ハブ本体１３を鍛造加工により造る際に同時に行なえる。即ち、鍛造加工時に上記回転側フランジ１５の残部で、上記凸部３３から外れた部分の金属材料を肉寄せする事により、これら各凸部３３を形成できる。この為、これら各凸部３３を形成する事に伴うコスト上昇は、僅少に抑えられる。尚、上記ナット１０の緊締に伴う、上記回転側フランジ１５の変形防止効果をより一層高くする為に、この回転側フランジ１５の一部を焼き入れ硬化する事は自由である。但し、この場合でも、この回転側フランジ１５の内外両側面に焼き入れ硬化層を形成する必要はない為、この回転側フランジ１５の靱性は十分に確保できる。
【００２８】
次に、図４〜６は、請求項１、３、４に対応する、本発明の実施の形態の第２例を示している。本例は、前述した図８に示した構造に、本発明を適用した場合に就いて示している。この様な本例の場合には、回転側フランジ１５の内側面のうちでねじ孔２５の開口部の周囲部分に、軸方向内方に突出した凸部３３ａを、このねじ孔２５の全周を囲む状態で形成している。そして、この凸部３３ａを形成した部分の軸方向に関する厚さ寸法Ｔ´を、上記回転側フランジ１５のうちで上記凸部３３ａから円周方向に外れた部分の厚さ寸法ｔ´よりも大きく（Ｔ´＞ｔ´）している。回転側フランジ１５に対してホイール１及びロータ２を結合固定する為のねじ杆部材を、スタッド９（図１、７参照）からボルト２６に代えた事に伴う変更点を除き、他の部分の構成及び作用は、回転側フランジ１５の形状、焼き入れ処理等を含め、上述した第１例の場合と同様であるから、重複する説明は省略する。
【００２９】
尚、図示の例は何れも、駆動輪用の車輪支持用転がり軸受ユニットで、懸架装置に対し支持固定された外輪の内径側で、内輪であるハブが回転する構造に本発明を適用した場合に就いて示した。但し、本発明は、駆動輪用に限らず、従動輪（ＦＲ車及びＲＲ車の前輪、ＦＦ車の後輪）用の車輪支持用転がり軸受ユニットにも適用される。そして、従動輪用の車輪支持用転がり軸受ユニットのうちで、内輪回転型は勿論、懸架装置に支持された状態で回転しない内輪の周囲に、外輪であるハブを回転自在に支持する、外輪回転型の車輪支持用転がり軸受ユニットに本発明を適用する事もできる。
【００３０】
【発明の効果】
本発明の車輪支持用転がり軸受ユニットは、以上に述べた通り構成され作用するので、車輪をハブの外周面に設けたフランジに固定するのに伴って、このフランジが変形する事を有効に防止できる。そして、このフランジに支持固定した制動用回転体の振れを防止して、制動時に発生する不快な騒音や振動を十分に抑制できる。
【図面の簡単な説明】
【図１】本発明の実施の形態の第１例を示す、図７のＡ部に相当する断面図。
【図２】回転側フランジのみを取り出して図１の右方から見た図。
【図３】同部分斜視図。
【図４】本発明の実施の形態の第２例を示す、図８のＢ部に相当する断面図。
【図５】回転側フランジのみを取り出して図４の右方から見た図。
【図６】同部分斜視図。
【図７】本発明の対象となる車輪支持用転がり軸受ユニットの第１例を、組み付け状態で示す断面図。
【図８】同第２例を、組み付け状態で示す断面図。
【符号の説明】
１    ホイール
２    ロータ
３    ナックル
４    支持孔
５、５ａ  車輪支持用転がり軸受ユニット
６    外輪
７    ボルト
８    ハブ
９    スタッド
１０    ナット
１１ａ、１１ｂ  外輪軌道
１２    固定側フランジ
１３    ハブ本体
１４    内輪
１５    回転側フランジ
１６    第一の内輪軌道
１７    小径段部
１８    第二の内輪軌道
１９    玉
２０    保持器
２１ａ、２１ｂ  シールリング
２２    スプライン孔
２３    等速ジョイント
２４    スプライン軸
２５    ねじ孔
２６    ボルト
２７    雄ねじ部
２８    取付面
２９    取付孔
３０    鍔部
３１    セレーション部
３２    雄ねじ部
３３、３３ａ  凸部
３４    通孔
３５    円すい状凹面
３６    座ぐり部
３７    円筒面部
３８    通孔
【図１】
2004306681.tif 000003
【図２】
2004306681.tif 000004
【図３】
2004306681.tif 000005
【図４】
2004306681.tif 000006
【図５】
2004306681.tif 000007
【図６】
2004306681.tif 000008
【図７】
2004306681.tif 000009
【図８】
2004306681.tif 000010